(57)【特許請求の範囲】
【請求項１】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片とから構成され、
前記天井枠と前記底板の間を上下方向に移動可能なストッパーがバックル本体に設置され、該ストッパーが前記底板側に移動した状態において前記バンドとバックルの係合が補助されるバックルにおいて、
前記弾性片および前記ストッパーを両側部から押圧する解除ボタンが前記両側板に設置され、該解除ボタンを片手の指先で撮むことにより前記バンドとバックルの係合および前記ストッパーを同時に解除可能としたバックル。
【請求項２】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成すると共に、該操作板をその中間点にて前記両側板を結ぶ連結軸で支承することにより該中間点を支点として揺動自在とされ、
前記天井枠と前記底板の間を上下方向に移動可能なストッパーがバックル本体に設置され、該ストッパーが前記底板側に移動した状態において前記バンドとバックルの係合が補助されるバックルにおいて、
前記操作板の一端部および前記ストッパーを両側部から押圧する解除ボタンが前記両側板に設置され、該解除ボタンを片手の指先で撮むことにより前記バンドとバックルの係合および前記ストッパーを同時に解除可能としたバックル。
【請求項３】
前記ストッパーが解除された状態では前記ストッパーが前記バンドとバックルを片手の指先で引き寄せることのできる掛止突起としての役割を果たす請求項１または２記載のバックル。
【請求項４】
前記ストッパーにより前記バンドとバックルの係合が補助された状態では前記ストッパーの高さが前記バックルの高さと同じかこれよりも低い位置となることを特徴とする請求項３記載のバックル。
【請求項５】
前記ストッパーの下面に前記係合溝に係合可能な係合爪を有する請求項１〜４のいずれかに記載のバックル。
【請求項６】
前記バックルに前記ストッパーの位置決め機構を備えた請求項１〜５のいずれかに記載のバックル。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。
また、掛止部が突起状に形成されるので、前記バックルとバンドとを片手の指先で引き寄せるという観点では操作上のメリットがあるが、掛止突起が身体やその他の物体に当たって誤作動や怪我を引き起こす虞があった。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、バンドをバックルから分離する方向に作用する力に対する抵抗力の強いストッパー機構付きバックルを提供することを目的とするものである。
【課題を解決するための手段】
【０００８】
本発明のバックルは、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片とから構成され、前記天井枠と前記底板の間を上下方向に移動可能なストッパーがバックル本体に設置され、該ストッパーが前記底板側に移動した状態において前記バンドとバックルの係合が補助されるバックルにおいて、前記弾性片および前記ストッパーを両側部から押圧する解除ボタンが前記両側板に設置され、該解除ボタンを片手の指先で撮むことにより前記バンドとバックルの係合および前記ストッパーを同時に解除可能としたことを特徴とする。
【０００９】
本発明のバックルは、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成すると共に、該操作板をその中間点にて前記両側板を結ぶ連結軸で支承することにより該中間点を支点として揺動自在とされ、前記天井枠と前記底板の間を上下方向に移動可能なストッパーがバックル本体に設置され、該ストッパーが前記底板側に移動した状態において前記バンドとバックルの係合が補助されるバックルにおいて、前記操作板の一端部および前記ストッパーを両側部から押圧する解除ボタンが前記両側板に設置され、該解除ボタンを片手の指先で撮むことにより前記バンドとバックルの係合および前記ストッパーを同時に解除可能としたことを特徴とする。
【００１０】
前記ストッパーが解除された状態では前記ストッパーが前記バンドとバックルを片手の指先で引き寄せることのできる掛止突起としての役割を果たすことが好ましい。
【００１１】
前記ストッパーにより前記バンドとバックルの係合が補助された状態では前記ストッパーの高さが前記バックルの高さと同じかこれよりも低い位置となることが好ましい。
【００１２】
前記ストッパーの下面に前記係合溝に係合可能な係合爪を有することが好ましい。
前記バックルに前記ストッパーの位置決め機構を備えたことが好ましい。
【発明の効果】
【００１３】
本発明のバックルは、バックル本体に設けられるストッパー機構により、バンドをバックルから分離する方向に作用する強い力をバックル全体に効果的に分散することができる。従って、このバックルは運動靴等の比較的強い締結力を必要とする製品への適用が最適である。
また、解除ボタンを撮むことにより前記バンドとバックルの係合とストッパーを同時に解除することができるので、解除操作が極めて容易である。
【図面の簡単な説明】
【００１４】
【図１】本発明のバックル１０の斜視図である。
【図２】バックル１０とバンド３０の係合状態を示す平面図および長手方向縦断側面図である。
【図３】バックル１０の要部横断面図である。
【発明を実施するための形態】
【００１５】
以下、本発明に係るストッパー機構付きバックルの実施形態を図面に基づいて説明する。
図１（１）はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝３１を有するバンド３０の挿通空間１６となる。
【００１６】
本実施形態では、底板１１の長手方向（バンドのスライド方向）の長さを天井枠１２の長手方向の長さよりも長くすることにより、バックル１０の被接続体（即ち、運動靴用バンド等）への取付けを容易にすると共に、バンドの挿通がスムーズに行われるようにしている。また、天井枠１２を偏平な板で構成することによっても同様の効果を得ることができる。
【００１７】
天井枠１２の内側には、その内に納まる大きさの弾性片２２が水平に設置される。弾性片２２の一端部２２Ａの下面には、バンド３０の係合溝に係合可能な係合爪２１を突設している（後記図を参照。）。弾性片２２は天井枠１２より若干低位置とすることにより、弾性片２２に不用意な外力がかかることを防止することができる。
前記弾性片２２の一端部２２Ａ側のバックル１０の内側には位置決め機構を備えたストッパー７０が上下動自在に設置される。本実施形態において前記ストッパー７０の断面形状を矩形としたが、必ずしも矩形でなくともよい。
【００１８】
前記側板１３、１３には、前記弾性片２２および前記ストッパー７０を両側部から押圧する解除ボタン１９、１９が設置される。前記弾性片２２および前記ストッパー７０の端面は前記解除ボタン１９、１９の対向辺に傾斜面を持って対向し、該傾斜面の角度を前記底板１１に近づくに従って前記解除ボタン１９、１９と前記弾性片２２および前記ストッパー７０との隙間が拡がるように形成される（後記図３参照。）。本実施形態において解除ボタン１９、１９の断面形状を矩形としたが、必ずしも矩形でなくともよい。
【００１９】
続いて、上記バックル１０の作用について図２を参照しながら説明する。
図２（１）はバックル１０とバンド３０の係合状態を示す平面図であり、図２（２）は長手方向縦断側面図である。図２（２）には、前述した係合爪２１が示されている。なお、先に説明した部材については同一の符号を付してその説明を省略する（以下の説明でも同じ。）。
【００２０】
図２（１）、（２）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
符号３５はバンドの外表面に設けた掛止突起であり、後記するようにストッパー７０との双方に指先を掛けることにより、バンド３０をバックル１０に片手で引き寄せることが可能になる。
【００２１】
バンド３０を弾性片２２の他端部２２Ｂ側（図２において左側）の挿通口１５から挿通空間１６内に進入させていくと、バンド３０の上面が弾性片２２の係合爪２１に接触して、弾性片２２の一端部２２Ａを押し上げながら前進し、バックル１０に対するバンド３０の接近・離隔位置が調節される。
この状態では、図２（２）に示すように、係合爪２１が所定の係合溝３１と噛み合って係止しているので、バンド３０はバックル１０に対して進出自在であるが、後退不能である。
【００２２】
次に、バックル１０からバンド３０を後退させたり、引き抜いたりする操作について図３を用いて説明する。図３（１）は本バックルの要部横断面図であり、この状態から解除ボタン１９、１９を片手の指先で撮めば、図３（２）に示すように、弾性片２２の傾斜面に沿って弾性片２２が持ち上がる結果、これに伴い係合爪２１が持ち上がり、係合爪２１が係合溝３１から外れるので、バンド３０を自由にスライドさせることができる（図２（３）参照。）。解除ボタン１９、１９から指を離せば、解除ボタン１９、１９は合成樹脂の弾性により元の位置に復帰する結果、弾性片２２も元の水平状態に復帰する。
前記解除ボタン１９、１９の端面を前記弾性片２２の対向辺に傾斜面を持って対向し、該傾斜面の角度を前記底板１１に近づくに従って前記解除ボタン１９、１９と前記弾性片２２との距離が狭まるように形成しても同様の効果が得られる。
【００２３】
次に、本発明のストッパー機構について説明する。
前記の通り、図２（２）はバックル１０とバンド３０の係止状態、即ち、係合爪２１と係合溝３１の係止状態を示しているが、このときストッパー７０はバックル本体１４より上方に突出した位置にあり、ストッパー７０は解除された状態にある。本実施形態において、ストッパー７０の下面にはバンドの係合溝３１と係合可能な係合爪７１が設けられている。
ここで、図２（４）に示すようにストッパー７０を底板１１側に移動させて、係合爪７１とバンドの係合溝３１を係合させれば、バンド３０とバックル１０の係合を補強することができる。すなわち、ストッパー７０はバックル本体１４に設けられるので、バンド３０をバックル１０から分離する方向に強い力が作用したとしても、その力をバックル本体１４が受けるため、バンド３０とバックル１０の係合をより強固なものとすることが可能となる。
【００２４】
続いて、ストッパー７０の解除方法について説明する。
図３（３）は、ストッパー７０の解除状態を示す要部横断面図であり、図３（４）はストッパー７０を底板１１側に移動させた状態を示す要部横断面図である。この状態からストッパー７０を解除するには、前記バックル１０とバンド３０の係合解除の操作と同様、解除ボタン１９、１９を片手の指先で撮めば、図３（５）に示すように、ストッパー７０の傾斜面に沿ってストッパー７０が持ち上がる結果、これに伴い係合爪７１が持ち上がり、係合爪７１が係合溝３１から外れる。このとき、同時に前記バックル１０とバンド３０の係合も解除されるので、バンド３０を自由にスライドさせることができる。
本発明によれば、解除ボタン１９、１９を片手の指先で撮むだけで、前記バックル１０とバンド３０の係合およびストッパー７０を同時に解除することができるので、操作が極めて容易である。
【００２５】
本実施形態では、ストッパー７０の解除状態においてストッパー７０はバックル本体１４より上方に突出するように設定されているので（図１（１）、図２（２）、図３（３）参照。）、ストッパー７０自体が掛止突起として機能する。すなわち、ストッパー７０とバンド３０の外表面に設けた掛止突起３５との双方に指先を掛けることにより、バンド３０をバックル１０に片手で引き寄せることが可能になる。
【００２６】
また、ストッパー７０を下方に移動させて、ストッパーの係合爪７１とバンド３０の係合溝３１を係止させた状態ではストッパー７０の高さが低くなるので、掛止突起としてのストッパー７０が身体やその他の物体に当たって誤作動や怪我を引き起こす虞はない。本実施形態において、ストッパー７０を下方に移動させた状態において、ストッパー７０の高さがバックル本体１４の高さと略同一になるように設定したが、誤作動や怪我を引き起こす可能性を低減することができる高さとすれば良い。
【００２７】
次に、本発明の他の実施形態について図４（３）、（４）を参照しながら説明する。
図４（３）、（４）は本実施形態のバックル１０の斜視図であり、天井枠１２の内側には、その内に納まる大きさの操作板２０が水平に設置される。操作板２０の一端部２０Ａの下面には、バンド３０の係合溝に係合可能な係合爪２１を突設している。操作板２０の長手方向の中間部には、連結軸２５が形成され、この連結軸２５は各側板１３、１３の上部内壁に支承されている。
この実施形態では連結軸２５の断面を矩形としたが、円形、楕円形、その他種々の断面形状とすることができる。連結軸２５は操作板２０を揺動自在に軸支すると共に、滑らかな操作性を確保する為に可及的に細くすることが望まれるが、反復的な揺動により破損しない形状、大きさとすれば良い。
なお、バックル１０およびストッパー７０の作用については、上記弾性片２２を用いたバックルと同様である。
【００２８】
バックル１０は、可撓性を有する合成樹脂により成型することができ、ポリアセタール、ポリオキシメチレン、ポリアミド、ポリカーボネート、ナイロンなどの弾性を有する合成樹脂により成型することが好ましい。本発明のバックル１０は、僅かな部品により構成され、かつ、簡易な構造の故に、金型で容易に一体成型することができる。
【００２９】
本発明のバックル１０には、前記した特許文献１および特許文献２に開示した要素を取り入れることができる。
例えば、操作板２０または弾性片２２を水平状態に復元し易くするために操作板２０の一端部２０Ａまたは弾性片２２の一端部２２Ａと対向する天井枠１２等とを連結した連結部材（図示せず。）を設けても良い。更に、挿通空間１６にはバンド３０の浮き上がりを防止するためのバンド押え（図示せず。）を設けることも可能である。
【符号の説明】
【００３０】
１０    バックル
１１    底板
１２    天井枠
１３    側板
１４    バックル本体
１６    挿通空間
１９    解除ボタン
２０    操作板
２１    係合爪
２２    弾性片
３０    バンド
３１    係合溝
７０    ストッパー
【図１】
0005797158.tif 000002
【図２】
0005797158.tif 000003
【図３】
0005797158.tif 000004